【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
ポリエチレンを含む表面を有する繊維を含有する不織布材料であって、前記繊維は、単成分繊維、二成分繊維またはそれらの混合物からなるグループから選択され、前記不織布材料は、該材料が単成分繊維を含んでいるときには、０．０２１４（ＢＷ）＋０．２７１４ｍｇ／ｃｍ2に等しいかそれ未満のけば／摩耗を有し、また、前記不織布材料は、該材料が二成分繊維から構成されているときには、０．００７１（ＢＷ）＋０．４０７１ｍｇ／ｃｍ2に等しいかそれ未満のけば／摩耗を有し、
前記繊維は０．１デニールから５０デニールであり、前記繊維はポリマーブレンドを含み、前記ポリマーブレンドは：
ａ．ポリマーブレンドの重量の２６重量パーセントから８０重量パーセントまでの第一ポリマーであって、前記第一ポリマーは均一なエチレン／α−オレフィンインターポリマーであり、前記インターポリマーは：
ｉ．１グラム／１０分から１０００グラム／１０分までのメルトインデックス、および
ｉｉ．０．８７０グラム／センチメートル3から０．９５０グラム／センチメートル3までの密度；
を有する、第一ポリマー；ならびに
ｂ．７４重量パーセントから２０重量パーセントまでの第二ポリマーであって、前記第二ポリマーはエチレンホモポリマーまたはエチレン／α−オレフィンインターポリマーであり、前記ホモポリマーまたはインターポリマーは：
ｉ．１グラム／１０分から１０００グラム／１０分までのメルトインデックス、および、好適には、
ｉｉ．前記第一ポリマーの密度よりも少なくとも０．０１グラム／センチメートル3大きい密度；
を有する、第二ポリマー；
を含み、前記ポリマーブレンドの全体的なメルトインデックスが１８グラム／１０分よりも大きい、不織布材料。
【請求項２】
前記材料は単成分繊維を含み、０．０２１４（ＢＷ）＋０．０７１４ｍｇ／ｃｍ2に等しいかそれ未満のけば／摩耗を有する、請求項１に記載の不織布材料。
【請求項３】
前記材料は二成分繊維から構成されており、０．０１４３（ＢＷ）＋０．１１４３に等しいかそれ未満のけば／摩耗を有している、請求項１に記載の不織布材料。
【請求項４】
６０ＧＳＭ未満の坪量を更に有することを特徴とする、請求項１に記載の不織布材料。
【請求項５】
ＭＤにおける１０Ｎ／５ｃｍより大きい引張り強さを更に有することを特徴とする、請求項１に記載の不織布材料。
【請求項６】
２５パーセント未満の連結面積を更に有することを特徴とする、請求項１に記載の不織布。
【請求項７】
２０ＧＳＭから３０ＧＳＭまでの坪量を有する、請求項１に記載の不織布。
【請求項８】
前記不織布はスパンボンド布地である、請求項１に記載の不織布。
【請求項９】
繊維はスパンボンデッド繊維である、請求項１に記載の不織布材料。
【請求項１０】
前記第一ポリマーは１０ｇ／１０分より大きいメルトインデックスを有する、請求項１に記載の不織布材料。
【請求項１１】
前記第一ポリマーは０．９１５グラム／センチメートル3から０．９２５グラム／センチメートル3までの範囲の密度を有する、請求項１に記載の不織布材料。
【請求項１２】
前記第二ポリマーは前記第一ポリマーの密度よりも少なくとも０．０２グラム／センチメートル3大きい密度を有する、請求項１に記載の不織布材料。
【請求項１３】
前記材料は単成分繊維を含み、且つ、マシン方向における０．０２８６（ＢＷ）−０．３７１４に等しいかそれ未満の曲げ剛性（ｍＮ・ｃｍ）を有し、前記不織布は２０−２７ＧＳＭの範囲の坪量を有する、請求項１に記載の不織布材料。
【請求項１４】
前記材料が０．０７１４（ＢＷ）−１．０７８６に等しいかそれ未満の曲げ剛性（ｍＮ・ｃｍ）を有する、請求項１３に記載の不織布材料。
【請求項１５】
０．１デニールから５０デニールまでの範囲の直径を有する繊維であって、前記繊維はポリマーブレンドを含み、前記ポリマーブレンドは：
ａ．（ポリマーブレンドの重量の）２６重量パーセントから８０重量パーセントまでの第一ポリマーであって、前記第一ポリマーは均一なエチレン／α−オレフィンインターポリマーであり、前記インターポリマーは：
ｉ．１グラム／１０分から１０００グラム／１０分までのメルトインデックス、および
ｉｉ．０．８７０グラム／センチメートル3から０．９５０グラム／センチメートル3までの密度；
を有する、第一ポリマー；ならびに
ｂ．７４重量パーセントから２０重量パーセントまでの第二ポリマーであって、前記第二ポリマーはエチレンホモポリマーまたはエチレン／α−オレフィンインターポリマーであり、前記ホモポリマーまたはインターポリマーは：
ｉ．１グラム／１０分から１０００グラム／１０分までのメルトインデックス、および、好適には、
ｉｉ．前記第一ポリマーの密度よりも少なくとも０．０１グラム／センチメートル3大きい密度；
を有する、第二ポリマー；
を含み、前記ポリマーブレンドの全体的なメルトインデックスが１８グラム／１０分よりも大きい、繊維。
【請求項１６】
０．１デニールから５０デニールまでの範囲の直径を有する繊維であって、前記繊維はポリマーブレンドを含み、前記ポリマーブレンドは：
ａ．（ポリマーブレンドの重量の）１０重量パーセントから８０重量パーセントまでの第一ポリマーであって、前記第一ポリマーは均一なエチレン／α−オレフィンインターポリマーであり、前記インターポリマーは：
ｉ．１グラム／１０分から１０００グラム／１０分までのメルトインデックス、および
ｉｉ．０．９２１グラム／センチメートル3から０．９５０グラム／センチメートル3までの密度；
を有する、第一ポリマー；ならびに
ｂ．９０重量パーセントから２０重量パーセントまでの第二ポリマーであって、前記第二ポリマーはエチレンホモポリマーまたはエチレン／α−オレフィンインターポリマーであり、前記ホモポリマーまたはインターポリマーは：
ｉ．１グラム／１０分から１０００グラム／１０分までのメルトインデックス、および、好適には、
ｉｉ．前記第一ポリマーの密度よりも少なくとも０．０１グラム／センチメートル3大きい密度；
を有する、第二ポリマー；
を含む、繊維。
【請求項１７】
前記繊維はスパンボンド繊維である、請求項１５または１６に記載の繊維。
【請求項１８】
前記第一ポリマーは該ブレンドのうちの４０−６０パーセントを構成する、請求項１５または１６に記載の繊維。
【請求項１９】
前記第二ポリマーは線状エチレンポリマーまたは実質的に線状のエチレンポリマーである、請求項１５または１６に記載の繊維。
【請求項２０】
前記第一ポリマーは１０ｇ／１０分より大きいメルトインデックスを有する、請求項１５または１６に記載の繊維。
【請求項２１】
前記第一ポリマーは０．９１５グラム／センチメートル3から．９２５グラム／センチメートル3までの範囲の密度を有する、請求項１５に記載の繊維。
【請求項２２】
前記第二ポリマーは前記第一ポリマーの密度よりも少なくとも０．０２グラム／センチメートル3大きい密度を有する、請求項１５または１６に記載の繊維。
【請求項２３】
全体的なポリマーブレンドが１８ｇ／１０分よりも大きいメルトインデックスを有する、請求項１６に記載の繊維。
【請求項２４】
前記繊維は短繊維およびバインダー繊維からなるグループから選択される、請求項１５から２３のいずれか一項に記載の繊維。
【請求項２５】
前記繊維はバインダー繊維であり、前記バインダー繊維はシース−コア二成分繊維の形態を有しており、前記繊維の前記シースが前記ポリマーブレンドを含む、請求項２４に記載の繊維。
【請求項２６】
前記シースは、少なくとも一つのエチレン性不飽和部位および少なくとも一つのカルボニル基を含有する不飽和な有機化合物でグラフト化されたポリオレフィンを更に含む、請求項２５に記載の繊維。
【請求項２７】
前記不飽和な有機化合物は無水マレイン酸である、請求項２６に記載の繊維。
【請求項２８】
前記繊維はバインダー繊維であり、前記バインダー繊維はエアーレイドウェブ内にあり、前記繊維は前記エアーレイドウェブのうちの５−３５重量パーセントを構成している、請求項２４に記載の繊維。
【請求項２９】
前記繊維は短繊維であり、前記短繊維はカーデッドウェブ内にある、請求項２４に記載の繊維。